(57)【特許請求の範囲】
【請求項１】
上部開口の箱部を有する平型オープンショーケースにおいて、
前記箱部の四周に、上部の風防板と下部の断熱パネルとで構成された側面壁と、
前記側面壁端部同士を離間させて接合してコーナー部を形成するとともに、該コーナー部を補強する側面壁接合部材と、
前記側面壁端部同士が接合して形成されたコーナー部に固定されるコーナーバンパーと、
を備え、
前記コーナーバンパーは、前記風防板と前記断熱パネルとに跨って一体的に設けられ、
前記側面壁接合部材には、前記側面壁の外張り材を差し込み固定する固定溝が設けられていることを特徴とする平型オープンショーケース。
【請求項２】
請求項１記載の平型オープンショーケースにおいて、
前記側面壁接合部材に設けられ、前記側面壁の外張り材を差し込み固定する固定溝に固定された前記外張り材と、前記側面壁接合部材の前記差込溝に固定された前記コーナーバンパーとの間に、化粧板を取り付けるための隙間が設けられていることを特徴とする平型オープンショーケース。
【請求項３】
請求項１又は２に記載の平型オープンショーケースにおいて、
前記側面壁接合部材には、前記コーナーバンパーを固定する係合部が、前記側面壁の外面よりも内側に設けられていることを特徴とする平型オープンショーケース。
【請求項４】
請求項３記載の平型オープンショーケースにおいて、
前記係合部は、前記コーナーバンパーの端部を差し込み固定する差込溝を備えることを特徴とする平型オープンショーケース。
【請求項５】
請求項１〜４の何れかに記載の平型オープンショーケースにおいて、
前記側面壁接合部材の上面及び下面には、前記コーナー部の隙間を埋める塞ぎ部材が設けられていることを特徴とする平型オープンショーケース。
【発明の詳細な説明】
【０００１】
【発明の属する技術分野】
本発明は、上部開口の箱部を有する平型オープンショーケースに関する。
【０００２】
【従来の技術】
スーパーマーケットなどのセルフサービス方式の食品販売店では、冷蔵食品や冷凍食品等の陳列に、上部を開放した平型の冷蔵・冷凍オープンショーケースがよく用いられている。
【０００３】
図９はその一例を示すもので、平型オープンショーケース２００は、上部が開口した箱形の商品陳列部２０と、冷蔵、冷凍機構成機器（図示せず）が収納されている台座部５１とから構成されている。その商品陳列部２０の側面壁の上部は、風防板２１であるガラス等の透明板が四周を囲うよう連結され、また、図１０に示すように、側面壁の下部は、パネル２２の外張り材２２ａが、コーナー部でリベット等により接合されていた。
【０００４】
【発明が解決しようとする課題】
しかしながら、平型オープンショーケース２００の商品陳列部２０の四隅、側面壁のコーナー部は、商品搬入台車や、ショッピングカートなどが衝突しやすい箇所であるので、風防板２１であるガラス等の透明板がその四隅で支柱２３により連結されている状態や、コーナー部のパネル２２がむき出しの状態では、商品搬入車等の衝突により、風防板２１やパネル２２が変形、破損する場合もあった。
【０００５】
本発明の課題は、平型オープンショーケースのコーナー部において、そのコーナー部の変形、破損を防止することが可能な平型オープンショーケースを提供することである。
【０００６】
【課題を解決するための手段】
本発明は、上記の課題を解決するため、以下の様な構成要素を備えている。なお、以下に示す構成要素には、括弧書きにより実施の形態に対応する構成及び図面参照符号を記す。
請求項１記載の発明は、上部開口の箱部（例えば、商品陳列部３０）を有する平型オープンショーケース（例えば、平型オープンショーケース１００）において、
前記箱部の四周に、上部の風防板（例えば、風防板１）と下部の断熱パネル（例えば、パネル２）とで構成された側面壁（例えば、側面壁３０ａ）と、
前記側面壁端部同士を離間させて接合してコーナー部（例えば、コーナー部３０ｂ）を形成するとともに、該コーナー部を補強する側面壁接合部材（例えば、パネル接合部材６）と、
前記側面壁端部同士が接合して形成されたコーナー部（例えば、コーナー部３０ｂ）に固定されるコーナーバンパー（例えば、コーナーバンパー３）と、
を備え、
前記コーナーバンパーは、前記風防板と前記断熱パネルとに跨って一体的に設けられ、
前記側面壁接合部材には、前記側面壁の外張り材（例えば、外張り材２ａ）を差し込み固定する固定溝（例えば、固定溝６ｂ）が設けられていることを特徴とする。
【０００７】
請求項１記載の発明によれば、平型オープンショーケースの箱部の側面壁端部同士が接合して形成されたコーナー部には、その側面壁である上部の風防板と下部の断熱パネルとに跨って一体に設けられるコーナーバンパーが固定されるので、風防板と断熱パネルとは、ともにコーナーバンパーにより補強される。従って、コーナー部の変形、破損を防止することができる。
また、側面壁端部同士を離間させて接合して形成されたコーナー部を補強する側面壁接合部材を備えているので、コーナー部をより補強することができる。
また、特に、コーナーバンパーは、側面壁である上部の風防板と下部の断熱パネルとに跨って一体に設けられているので、コーナーバンパーを風防板と断熱パネルの夫々に別々に設けるよりも、組み付け時間を短縮できる。
また、特に、側面壁接合部材には、側面壁の外張り材を差し込み固定する固定溝が設けられているので、側面壁の外張り材を側面壁接合部材の固定溝に差し込むことにより、容易に側面壁接合部材に側面壁を固定することができる。よって、平型オープンショーケースの箱部を容易に組み立てることができる。
【０００８】
請求項２記載の発明は、請求項１記載の平型オープンショーケースにおいて、
前記側面壁接合部材に設けられ、前記側面壁の外張り材を差し込み固定する固定溝に固定された前記外張り材と、前記側面壁接合部材の前記差込溝に固定された前記コーナーバンパーとの間に、化粧板（例えば、化粧板９）を取り付けるための隙間（例えば、隙間８）が設けられていることを特徴とする。
【０００９】
請求項２記載の発明によれば、請求項１に記載の発明と同様の効果が得られることは無論のこと、特に、側面壁接合部材に設けられた固定溝に、側面壁の外張り材を差し込み固定された前記外張り材と、側面壁接合部材の差込溝に固定されたコーナーバンパーとの間に、化粧板を取り付けるための隙間が設けられているので、化粧板の取り付けを容易に行うことができる。よって、化粧板により平型オープンショーケースの装飾性を向上させることを容易に行うことができる。
【００１０】
請求項３記載の発明は、請求項１又は２に記載の平型オープンショーケースにおいて、
前記側面壁接合部材には、前記コーナーバンパーを固定する係合部（例えば、バンパー係合部６ｃ、６ｄ）が、前記側面壁の外面よりも内側に設けられていることを特徴とする。
【００１１】
請求項３記載の発明によれば、請求項１又は２に記載の発明と同様の効果が得られることは無論のこと、特に、側面壁接合部材には、コーナーバンパーを固定する係合部が、側面壁の外面よりも内側に設けられているので、コーナーバンパーの衝撃吸収度を上げるためバンパー厚を厚くしても側面壁より出っ張る程度を抑制することができることとなって、コーナーバンパーにぶつかる頻度を抑えることができる。
また、特に、例えば、コーナーバンパーと側面壁を面一にすることもできることとなって、外観上も好ましいものとすることができる。
【００１２】
請求項４記載の発明は、請求項３記載の平型オープンショーケースにおいて、
前記係合部は、前記コーナーバンパーの端部を差し込み固定する差込溝（例えば、差込溝６ｅ、６ｆ）を備えることを特徴とする。
【００１３】
請求項４記載の発明によれば、請求項３記載の発明と同様の効果が得られることは無論のこと、特に、側面壁接合部材の係合部は、コーナーバンパーの端部を差し込み固定する差込溝を備えているので、その係合部の差込溝へコーナーバンパーの端部を差し込むことにより、コーナーバンパーを側面壁接合部材に固定することができる。よって、他の固定部材を必要としないので、容易にコーナーバンパーを固定することができるとともに、その取り外しも容易である。
従って、コーナーバンパーの着脱を容易に行うことができる。
【００１４】
請求項５記載の発明は、請求項１〜４の何れかに記載の平型オープンショーケースにおいて、
前記側面壁接合部材の上面及び下面には、前記コーナー部の隙間を埋める塞ぎ部材（例えば、塞ぎ部材１５）が設けられていることを特徴とする。
【００１５】
請求項５記載の発明によれば、請求項１〜４の何れかに記載の発明と同様の効果が得られることは無論のこと、特に、側面壁接合部材の上面及び下面には、コーナー部の隙間を埋める塞ぎ部材が設けられているので、コーナー部の内部に充填される液体の漏れを容易に防止できる。
【００１８】
【発明の実施の形態】
以下、図を参照して本発明の実施の形態を詳細に説明する。
図１、図２に示すように、本発明の平型オープンショーケース１００は、上部が開口した箱形の商品陳列部３０と、該商品陳列部３０を適度な高さに保持する台座部５０とから構成されており、台座部５０内には、冷蔵・冷凍機器（図示せず）が収納されている。
【００１９】
平型オープンショーケース１００内には、図示は省略するが、循環ダクトが設けられており、商品陳列部３０の側面壁３０ａ内側に設けられた冷気吹出口３５と、商品陳列部３０の底板部に設けられた冷気吸込口（図示せず）とに連通している。そして、冷蔵・冷凍機器により冷却された空気を、冷気吹出口から商品陳列部３０内に吹出して商品陳列部３０内を所定の冷却温度に保持し、再び、その空気を冷気吸込口から循環ダクト内に吸い込むという循環により冷蔵・冷凍機能を維持している。
【００２０】
商品陳列部３０四周の側面壁３０ａは、その上部がガラス、アクリル等の透明板で構成される風防板１により構成され、その下部が断熱機能を有するパネル（断熱パネル）２で構成されている。風防板１とパネル２等からなる側面壁３０ａのコーナー部３０ｂにはコーナーバンパー３が設けられている。また、風防板１の上端部には手摺り部４が設けられ、風防板１とパネル２との間には手摺りレール５が設けられている。
本発明の平型オープンショーケース１００における商品陳列部３０のコーナー部３０ｂには、側面壁３０ａの風防板１部分からパネル２部分まで一体のコーナーバンパー３が設けられ、図３に示すように、パネル２同士は、離間された状態で側面壁接合部材であるパネル接合部材６により固定されている。そして、このパネル接合部材６にコーナーバンパー３が固定される。
【００２１】
パネル接合部材６は、アルミニウム等の金属や強化プラスチック等の強度材料を成型加工したものからなり、図３、図４に示すように、角部６１を挟んで左右対称のＬ字に屈曲した形状とされている。パネル接合部材６の角部６１を挟む左右の長手方向端部にはパネル接合部６ａが設けられ、このパネル接合部６ａよりも角部６１よりには、外張り材２ａを差し込み固定する固定溝６ｂが設けられている。そして、この固定溝６ｂに外張り材２ａが差し込まれた状態で、パネル接合部６ａとパネル２の外張り材２ａの内面が接する部分を両面テープ、接着剤などにより接着することによってパネル接合部６ａと外張り材２ａとが固定されるようになっている。
また、パネル接合部材６には、コーナーバンパー３を差し込み固定するバンパー係合部６ｃ、６ｄおよび差込溝６ｅ、６ｆが角部６１を挟んで左右２箇所に設けられている。
このバンパー係合部６ｃ、６ｄおよび差込溝６ｅ、６ｆは、図３に示すように外張り材２ａよりも内側に位置するように設けられている。
【００２２】
一方、コーナーバンパー３は、外周部３１が弧字状に形成され、その両端部には、パネル接合部材６の差込溝６ｅに係合する端係合部３ａ、３ａが設けられている。また、弧字状外周部３１の略中央部３２を挟む左右の所定位置には、内側に突出した突出部３３、３３が形成され、この突出部３３の先端部には、パネル接合部材６の差込溝６ｆと係合する中係合部３ｂが設けられている。
そして、コーナーバンパー３は、その端係合部３ａ、中係合部３ｂが、夫々パネル接合部材６の差込溝６ｅ、６ｆに、パネル接合部材６の上方、または下方からスライドさせるように挿入され、嵌め込まれることにより、パネル接合部材６に固定されるようになっている。
【００２３】
また、図３に示すように、パネル接合部材６と、パネル２と、コーナーバンパー３が固定された状態において、パネル２の外張り材２ａとコーナーバンパー３との間には、隙間８が設けられている。この隙間８に化粧板９が差し込まれ、パネル２の表面に化粧板９が取り付けられている。この化粧板９には、その表面に色、模様、図柄等が施されている。
【００２４】
コーナー部３０ｂのパネル２の上部及び下部には、パネル接合部材６と、パネル２の内張り材２ｂとの間に発砲スチロールなどの塞ぎ部材１５が取り付けられている。そして、この塞ぎ部材１５とパネル接合部材６及びパネルの内張り材２ｂとの間の隙間は粘土等により埋められ、パネル２内部に充填する発砲液がコーナー部３０ｂのパネル２の上部および下部から漏れないようになっている。
【００２５】
手摺りレール５には、図５、６に示すように、風防板１の下端部を受ける受け部５ａが設けられ、受け部５ａの外側面には、手摺り側面部５ｂが設けられている。また、手摺り側面部５ｂ内側に、パネル２の外張り材２ａの上部が差し込まれる取付溝５ｃが設けられている。手摺りレール５の長手方向端部には、コーナーバンパー３との間の隙間を埋めるエンドキャップ７が差し込まれるようになっている。
【００２６】
また、図６、７、に示すように、パネル２の内張り材２ｂには、風防板エンドフレーム１０がリベット１１等により固定される。そして、この風防板エンドフレーム１０には、長手方向端部がコ字状のスペーサー１２が取り付けられ、このスペーサー１２とコーナーバンパー３との間に風防板１が、挟み込まれるようになっている。
【００２７】
また、図７、８に示すように、コーナーバンパー３の上端部には、上部コーナーカバー１３が取り付けられる。
上部コーナーカバー１３は、コーナーバンパー３のコーナーカバー固定溝３ｃに差し込まれる固定突片１３ａと、風防板エンドフレーム１０に固定される固定舌片１３ｂとを有している。そして、固定突片１３ａがコーナーバンパー３のコーナーカバー固定溝３ｃに差し込まれて挿入されるとともに、固定舌片１３ｂがリベット１１等により風防板エンドフレーム１０に固定される。
また、上部コーナーカバー１３と同様に、下部コーナーカバー１４がコーナーバンパー３の下端部に取り付けられる。
【００２８】
次に、上記構成の平型オープンショーケース１００のコーナーバンパーの組み付け方法の一例について説明する。
まず、パネル接合部材６の固定溝６ｂに外張り材２ａを差し込み、パネル接合部６ａとパネル２の外張り材２ａの内面が接する部分を両面テープ、接着剤などにより接着することによってパネル接合部６ａと外張り材２ａとを固定する。
次いで、コーナーバンパー３を、コーナーバンパー３の端係合部３ａ、中係合部３ｂを、パネル接合部材６のバンパー係合部６ｃ、６ｄの差込溝６ｅ、６ｆに、パネル接合部材６の上部、または下部からスライドさせるように挿入して、嵌め込む。
【００２９】
次いで、図６に示すように、風防板エンドフレーム１０をパネル２の内張り材２ｂにリベット１１等により固定する。そして、図６、７に示すように、風防板エンドフレーム１０に、端面がコ字状のスペーサー１２を取り付け、このスペーサー１２とコーナーバンパー３との間に風防板１を、挟み込む。
【００３０】
次いで、図７に示すように、上部コーナーカバー１３を、その固定突片１３ａをコーナーバンパー３のコーナーカバー固定溝３ｃに差し込むよう挿入し、リベット１１等により風防板エンドフレーム１０に固定する。
また、上部コーナーカバー１３と同様に、下部コーナーカバー１４をコーナーバンパー３の下部に取り付ける。
【００３１】
このように、本発明における平型オープンショーケース１００の商品陳列部３０は、パネル接合部材６に、側面壁３０ａである上部の風防板１と下部のパネル２とに跨って一体に設けられるコーナーバンパー３が固定されるので、風防板１とパネル２とは、ともにコーナーバンパー３により補強される。従って、コーナー部３０ｂの変形、破損を防止することができる。
また、コーナーバンパー３は、風防板１とパネル２とに跨って一体に設けられるので、コーナーバンパー３を風防板１とパネル２の夫々に別々に設けるよりも、組み付け時間を短縮できる。
【００３２】
また、パネル接合部材６には、コーナーバンパー３を固定する係合部が、パネル２の外張り材２ａの外面よりも内側に設けられているので、コーナーバンパー３の衝撃吸収度を上げるためバンパー厚を厚くしてもパネル３より出っ張る程度を抑制することができることとなって、コーナーバンパー３にぶつかる頻度を抑えることができる。特に、例えば、コーナーバンパー３とパネル２とを面一にすることもできることとなって、外観上も好ましいものとすることができる。
また、パネル接合部材６を介し、パネル２とコーナーバンパー３を、それらの接合部、係合部および両面テープなどによる組み立て、固定する方法により形成されるので、専用工具を使用する必要のあるビス、ボルト等を用いる組み立て、固定する方法に比べ、組み立て精度の向上および組み立て時間の短縮が図れる。また、ビス、ボルト等を用いた場合、それらがパネル２の外張り材２ａ表面に視認されることがあったが、本発明においてはビス、ボルト等の固定がないので、外観上スッキリとした体裁が得られる。
【００３３】
また、パネル２の外張り材２ａとコーナーバンパー３との間に設けられた隙間８を利用し、パネル２の表面に化粧板９を取り付けることにより、その化粧板９に基づいた様々な装飾が可能となる。
つまり、最もニーズの多い外装色を生産上の１色としてパネル２の外張り材２ａに塗装してのパネル２の生産を行うが、多様化するユーザーの要望によるオリジナル塗装色については化粧板９の取り付けによりその変更を行うことができる。よって、オリジナル塗装色のパネル２を生産することや、オリジナル塗装色への変更の依頼があった際に、商品陳列部３０を分解しオリジナル塗装色のパネル２を組み付けたり、未塗装部分にマスキングカバーを取り付けてのオリジナル色吹き付け塗装処理をしたりする手間の掛かる作業の必要がない。
従って、塗装色多品種化に応じることが容易である。
【００３４】
また、コーナーバンパー３は、コーナーバンパー３の係合端部を、パネル接合部材６のバンパー係合部６ｃ、６ｄの差込溝６ｅ、６ｆに、挿入され、嵌め込まれる構成であり、コーナーバンパー３の脱着は容易である。よって、ユーザーの要望によるオリジナル色のコーナーバンパー３への変更、交換を容易に行うことができる。
【００３５】
また、コーナー部の上部及び下部には、パネル接合部材６と、パネルの内張り材との間に発砲スチロールなどの塞ぎ部材１５が取り付けられ、この塞ぎ部材１５とパネル接合部材６及びパネルの内張り材との間の隙間は粘土等により埋められるので、パネル内部に充填する発砲液の漏れを防止できる。
【００３６】
なお、以上の実施の形態においては、パネル接合部材６は側面壁３０ａのパネル２部と略同一の高さとしたが、本発明はこれに限定されるものではなく、風防板１までを含む側面壁３０ａ全体と略同一の高さとしてもよい。このような構成であれば、風防板１のコーナー部の強度をより向上させることができる。
また、側面壁３０ａにおける風防板１とパネル２との比率等も任意である。
また、コーナーバンパーの組み付け方法、手順も任意である。
更に、本実施の形態において用いたスペーサー１２は、風防板１をその厚みに応じて風防板エンドフレーム１０に取り付けを行うためのものであるので、スペーサー１２は風防板１の厚みに応じた任意のサイズでよく、あるいはスペーサー１２が不要となる場合もある。
その他、具体的な細部構造等についても適宜に変更可能であることは勿論である。
【００３７】
【発明の効果】
請求項１記載の発明によれば、平型オープンショーケースの箱部の側面壁端部同士が接合して形成されたコーナー部には、その側面壁である上部の風防板と下部の断熱パネルとに跨って一体に設けられるコーナーバンパーが固定されるので、風防板と断熱パネルとは、ともにコーナーバンパーにより補強される。従って、コーナー部の変形、破損を防止することができる。
また、側面壁端部同士を離間させて接合して形成されたコーナー部を補強する側面壁接合部材を備えているので、コーナー部をより補強することができる。
また、特に、コーナーバンパーは、側面壁である上部の風防板と下部の断熱パネルとに跨って一体に設けられているので、コーナーバンパーを風防板と断熱パネルの夫々に別々に設けるよりも、組み付け時間を短縮できる。
また、特に、側面壁接合部材には、側面壁の外張り材を差し込み固定する固定溝が設けられているので、側面壁の外張り材を側面壁接合部材の固定溝に差し込むことにより、容易に側面壁接合部材に側面壁を固定することができる。よって、平型オープンショーケースの箱部を容易に組み立てることができる。
【００３８】
請求項２記載の発明によれば、請求項１に記載の発明と同様の効果が得られることは無論のこと、特に、側面壁接合部材に設けられた固定溝に、側面壁の外張り材を差し込み固定された前記外張り材と、側面壁接合部材の差込溝に固定されたコーナーバンパーとの間に、化粧板を取り付けるための隙間が設けられているので、化粧板の取り付けを容易に行うことができる。よって、化粧板により平型オープンショーケースの装飾性を向上させることを容易に行うことができる。
【００３９】
請求項３記載の発明によれば、請求項１又は２に記載の発明と同様の効果が得られることは無論のこと、特に、側面壁接合部材には、コーナーバンパーを固定する係合部が、側面壁の外面よりも内側に設けられているので、コーナーバンパーの衝撃吸収度を上げるためバンパー厚を厚くしても側面壁より出っ張る程度を抑制することができることとなって、コーナーバンパーにぶつかる頻度を抑えることができる。
また、特に、例えば、コーナーバンパーと側面壁を面一にすることもできることとなって、外観上も好ましいものとすることができる。
【００４０】
請求項４記載の発明によれば、請求項３記載の発明と同様の効果が得られることは無論のこと、特に、側面壁接合部材の係合部は、コーナーバンパーの端部を差し込み固定する差込溝を備えているので、その係合部の差込溝へコーナーバンパーの端部を差し込むことにより、コーナーバンパーを側面壁接合部材に固定することができる。よって、他の固定部材を必要としないので、容易にコーナーバンパーを固定することができるとともに、その取り外しも容易である。
従って、コーナーバンパーの着脱を容易に行うことができる。
【００４１】
請求項５記載の発明によれば、請求項１〜４の何れかに記載の発明と同様の効果が得られることは無論のこと、特に、側面壁接合部材の上面及び下面には、コーナー部の隙間を埋める塞ぎ部材が設けられているので、コーナー部の内部に充填される液体の漏れを容易に防止できる。
【図面の簡単な説明】
【図１】本発明にかかる平型オープンショーケースを示す斜視図である。
【図２】本発明にかかる平型オープンショーケースを示す正面図である。
【図３】図２のIII−III線における断面平面図である。
【図４】本発明にかかる平型オープンショーケースのパネルとパネル接合部材との接合状態を示す斜視図である。
【図５】本発明にかかる平型オープンショーケースのパネルと手摺りレールをエンドキャップにより固定する状態を示す斜視図である。
【図６】図２のVI−VI線における断面平面図である。
【図７】本発明にかかる平型オープンショーケースのコーナーバンパーと風防板エンドフレームと上部コーナーカバーの接合関係を示す斜視図である。
【図８】図２のVIII−VIII線における断面平面図である。
【図９】従来の平型オープンショーケースを示す斜視図である。
【図１０】従来の平型オープンショーケースにおける側面壁（外張りパネル）の接合方法を示す斜視図である。
【符号の説明】
１        風防板（側面壁）
２        パネル（側面壁、断熱パネル）
３        コーナーバンパー
３３      突出部
３ａ      端係合部
３ｂ      中係合部
４        手摺り部
５        手摺りレール
６        パネル接合部材（側面壁接合部材）
６ａ      パネル接合部
６ｂ      固定溝
６ｃ、６ｄ  バンパー係合部（係合部）
６ｅ、６ｆ  差込溝
７        エンドキャップ
８        隙間
９        化粧板
１０      風防板エンドフレーム
１１      リベット
１２      スペーサー
１３      上部コーナーカバー
１４      下部コーナーカバー
１５      塞ぎ部材
３０      商品陳列部
３０ａ    側面壁
３０ｂ    コーナー部
５０      台座部
１００    平型オープンショーケース
【図１】
0003920634.tif 000002
【図２】
0003920634.tif 000003
【図３】
0003920634.tif 000004
【図４】
0003920634.tif 000005
【図５】
0003920634.tif 000006
【図６】
0003920634.tif 000007
【図７】
0003920634.tif 000008
【図８】
0003920634.tif 000009
【図９】
0003920634.tif 000010
【図１０】
0003920634.tif 000011